(57)【要約】      （修正有）【課題】エレベータのかご照明のパネルのずれなどが起きにくく、かついたずらされにくいエレベータの天井照明装置を提供する。【解決手段】エレベータかごの天井の近くに取付体３０を設け、この取付体３０に一側が回転可能に取り付けられ、他側がロック装置４０によって取り付けられた第１パネル１０を設ける。また一側が取付体３０に回転可能に取り付けられ他側が取付体３０にボルト止めされた第２パネルを設ける。そしてロック装置４０のロックを解除して第１パネル１０を外し、次にボルトを外して第２パネルを開き、照明灯のメンテナンスを行なう構成とした。これにより、第１パネル１０，第２パネルが不用意に開けられる可能性を小さくした。【選択図】図２
2007314283.tif 000002
【特許請求の範囲】
【請求項１】
エレベータかごの天井に第２天井を設けた構成のエレベータかごの照明装置において、
前記第２天井は、かごに取り付けられた取付体と、
一側が前記取付体又は前記かごに回動可能に取り付けられ、他側が前記取付体又は前記かごにロック装置によって着脱自在に固定された第１パネルと、
透光部を有し、一側が前記取付体又は前記かごに回動可能に取り付けられ、他側が前記取付体又は前記かごに着脱自在に固定された第２パネルと、
を備えていることを特徴とするエレベータかごの天井照明装置。
【請求項２】
前記かご天井は開口部を有しており、前記取付体は１又は複数配置され、少なくとも１つの取付体の少なくとも一部が前記開口部に対向するように配置されていることを特徴とする請求項１に記載のエレベータかごの天井照明装置。
【請求項３】
前記かご天井は開口部を有しており、前記第２パネルは１又は複数配置され、少なくとも１つの第２パネルの少なくとも一部が前記開口部に対向するように配置されていることを特徴とする請求項１又は２に記載のエレベータかごの天井照明装置。
【請求項４】
前記第１パネルと、前記取付体又は前記かごとは可撓条体で連結されていることを特徴とする請求項１乃至３の何れかに記載のエレベータかごの天井照明装置。
【請求項５】
前記第２パネルと、前記取付体又は前記かごとは可撓条体で連結されていることを特徴とする請求項１乃至４の何れかに記載のエレベータかごの天井照明装置。
【請求項６】
前記可撓条体は着脱自在に取り付けられていることを特徴とする請求項４又は５に記載のエレベータかごの天井照明装置。
【発明の詳細な説明】
【技術分野】
【０００１】
本発明は、エレベータかごの天井に第２天井を設けた構成のエレベータかごの天井照明装置の改良に関するものである。
【背景技術】
【０００２】
図８は、従来のエレベータかごの天井照明装置の概略を示す縦断面図、図９は図８のＸ−Ｘ断面図、図１０は図８の要部拡大説明図である。図において１はエレベータかご、２はかご天井、３は照明灯、４は天井２から側板５によって吊下状態に支持された田字状に配置された目地枠、６は目地枠４に支持された照明板、６ａは照明板６の散光板である。
７は天井２の下面に突設されたフック、８は照明板６の縁部に固定されて環体８ａを有する金具、９は一端が環体８ａに連結され他端はＳ金具９ａによってフック７に係合された安全索で、鎖等の可撓条体によって製作されている。またこれらのフック７〜Ｓ金具９ａは、１枚の照明板６に複数組設けられている。尚、前記目地枠４〜照明板６は、天井２に対して第２天井と称されることもある。
【０００３】
図１０の右半部に示すように、常時は安全索９が緩んだ状態で、照明板６が目地枠４に支持されている。そして照明板６が目地枠４からずれて落下しようとしたときには、安全索９によって落下が防止される。また、照明灯３の交換のために、照明板６を外す場合は、図１０の左半部に示すように、照明板６を押し上げてフック７からＳ金具９ａを外すことによって、照明板６を下降させることができる。このとき１枚の照明板６に設けられた他の安全索９等を係合したままにしておくことにより、照明板６の落下を防止できる。
【０００４】
【特許文献１】実開昭５８−１１７４７５号公報
【発明の開示】
【発明が解決しようとする課題】
【０００５】
前記従来技術では、誰でも簡単に照明板６を押し上げることができ、そしてフック７からＳ金具９ａを外すことができる。そのため、長尺物が当たって照明板６がずれたり、いたずらによって照明板６が外される可能性があった。
【課題を解決するための手段】
【０００６】
本発明は、エレベータかごの天井に第２天井を設けた構成のエレベータかごの照明装置において、前記第２天井はかごに取り付けられた取付体と、一側が前記取付体又は前記かごに回動可能に取り付けられ他側が前記取付体又は前記かごにロック装置によって着脱自在に固定された第１パネルと、透光部を有し一側が前記取付体又は前記かごに回動可能に取り付けられ、他側が前記取付体又は前記かごに着脱自在に固定された第２パネルとを備えたエレベータかごの天井照明装置である。
【０００７】
また本発明は、前記かご天井は開口部を有しており、前記取付体は１又は複数配置され、少なくとも１つの取付体の少なくとも一部が前記開口部に対向するように配置されている天井照明装置である。
更に本発明は、前記かご天井は開口部を有しており、前記第２パネルは１又は複数配置され、少なくとも１つの第２パネルの少なくとも一部が前記天井開口部に対向するように配置されている天井照明装置である。
【０００８】
また本発明は、前記第１パネルと、前記取付体又は前記かごとは可撓条体で連結されているものである。
また本発明は、前記第２パネルと、前記取付体又は前記かごとは可撓条体で連結されているものである。更に前記可撓条体は着脱自在に取り付けられているものである。
【発明の効果】
【０００９】
本発明はロック装置を使用しているので、比較的簡単な操作でパネルを開けることができるとともに、誤ってパネルが開けられたりいたずらされにくくなる。
【発明を実施するための最良の形態】
【００１０】
本発明の実施の形態を図１〜図７により説明する。図１は図９に相当する図、図２は図１のＡ−Ａ断面図、図３〜図７は動作説明図であり、図６〜図７は図５のＢ−Ｂ断面に相当する図であり、図８〜図１０と同一符合は同一のものを示している。
【００１１】
図において、３０はボルト３１によってかご１の上部で天井２のすぐ下に取り付けられた取付体、１０は一側が取付体３０に係止され、他側がロック装置４０によって取付体３０に取り付けられた鋼板製の第１パネル、２０は内蔵された照明灯３の光を通す透光部を有する第２パネルである。。
【００１２】
照明灯３の交換などのメンテナンス時に、第１，第２パネル１０，２０を取り外す場合には、まず第１パネル１０の取り外しを行う。
図２に示すように、かご１の側壁と第１パネル１０との間から手を入れて、ロック装置４０のプラグ側４１の頭をソケット側４２へ押す。これによりロックが外れるため、図３に示すように、第１パネル１０を右方にずらして、ロック装置４０のプラグ側４１とソケット側４２を分離して、下方に回転させる。このとき安全のために第１パネル１０と取付体３０とはコード１１で連結してあるため、第１パネル１０が落下することはない。そして、コード１１を外して更に下方に回転させる。
【００１３】
図４に示すように、第１パネル１０の一側（反ロック装置側）は取付体３０に回動自在かつ着脱自在に引っ掛けられ（係止され）ているため、他側（ロック装置４０側）が下方に回転されると、取付体３０に吊り下げられることになる。そして図４に矢印で示すように、第１パネル１０を持ち上げて右方へずらし、取付体３０から外す。
【００１４】
次に、第２パネル２０の取り外しを行う。
図５に示す第２パネル２０の一側２０ａはヒンジなどによって取付体３０又はかご１に回動自在に取り付けられている。他側２０ｂは図５に三角で示した部分でコード２１によって取付体３０に連結され、また二重丸で示した部分で取付体３０にボルト止めされている。
従って、二重丸部のボルトを外すことにより、図６に示すように第２パネル２０は取付体３０からコード２１で吊り下げられた形になる。この状態で、照明灯３のメンテナンスを行なう。
【００１５】
照明灯３のメンテナンスなどが終了すると、前記と逆の手順で各パネルを取り付けていく。
なお、ロック装置４０は、プラグ側４１を押すごとにロックとロック解除を繰り返すものであり、例えばタキゲン製造株式会社の小型ファスナー、「カムロックファスナー」を採用することができる。
【００１６】
以上説明したように、本実施の形態によれば、かご１の側壁と第１パネル１０との間からロック装置４０を操作する構成であるため、比較的容易にパネルの開閉が行なえ、また長尺物などが天井に当たっても、天井板が外れることがなく、更に一般の乗客から分かりにくいため、従来構造に比べていたずらされにくいという効果がある。
【００１７】
次に、メンテナンスや据付などで天井２の開口部５０を使ってかご内とかご上とを行き来する必要がある場合について説明する。
この場合には、図６の状態まで進んだ後、開口部５０の直下の第２パネル２０のコード２１を外す。すると図７に示すように、第２パネル２０は一側２０ａのみで吊り下げられた状態になる。このとき第２パネル２０の一側２０ａはかご１又は取付体３０に接して止まる。
【００１８】
取付体３０は、ボルト３０ａ，３０ｂでかご１に取り付けられているので、両ボルト３０ａ，３０ｂを緩め、一方のボルト３０ｂと取付体３０との係合を外す。これにより、取付体３０は他方のボルト３０ａを中心として図７の時計方向に回転して吊り下げられた状態になる。
その結果、図７に示すように、開口部５０とかご１内の行き来が可能になる。元の状態に戻すときには，逆の手順になる。
【００１９】
このように、本実施の形態によれば、比較的容易な操作で、開口部５０を利用することができる。
【００２０】
前記の実施の形態では、第２パネル２０の吊り下げにコード１１，２１を使用しているが、可撓性のあるチェーン，ロープなどの条体（可撓条体）であれば良い。
また図４に矢印で示すように、前記の実施の形態では、第１パネル１０を取り外しているが、メンテナンスの邪魔にならなければ、吊り下げたままでもよい。
更に第１パネル１０，第２パネル２０は、ロック装置，コード，ヒンジ，ボルト等によって取付体３０に取り付けられているが、取付体３０を介することなくかご１や天井２に取り付けてもよい。例えば、図１０と同様に天井２にコードを取り付けてもよい。また、図２に示すロック装置４０のソケット側４２をブラケット等を介してかご１に取り付けることもできる。
【図面の簡単な説明】
【００２１】
【図１】本発明の実施の形態を示す図で、かご内から天井を見上げた図である。
【図２】図１のＡ−Ａ断面図である。
【図３】本発明の実施の形態の動作説明図である。
【図４】本発明の実施の形態の動作説明図である。
【図５】本発明の実施の形態の動作説明図である。
【図６】本発明の実施の形態の動作説明図である。
【図７】本発明の実施の形態の動作説明図である。
【図８】従来のエレベータかごの天井照明装置の概略を示す縦断面図である。
【図９】図８のＸ−Ｘ断面図である。
【図１０】図８の要部拡大説明図である。
【符号の説明】
【００２２】
１  エレベータかご
２  天井
３  照明灯
１０  第１パネル
１１，２１  コード（可撓条体）
２０  第２パネル
３０  取付体
４０  ロック装置
４１  ロック装置のプラグ側
４２  ロック装置のソケット側
５０  開口部
【図１】
2007314283.tif 000003
【図２】
2007314283.tif 000004
【図３】
2007314283.tif 000005
【図４】
2007314283.tif 000006
【図５】
2007314283.tif 000007
【図６】
2007314283.tif 000008
【図７】
2007314283.tif 000009
【図８】
2007314283.tif 000010
【図９】
2007314283.tif 000011
【図１０】
2007314283.tif 000012